(57)【要約】【課題】  雨仕舞が完了するまでの建築工事中において、ベタ基礎の排水性を向上する。【解決手段】  ベタ基礎用の排水管の上部に設けるための集水部材は、筒状に延在し、延在方向に貫通する貫通穴が形成された筒部と、筒部の一端から、筒部と反対の方向に向かうにしたがって外側に広がるように形成された傾斜部と、を備える。【選択図】図１
2016079721.tif 000002
【特許請求の範囲】
【請求項１】
ベタ基礎用の排水管の上部に設けるための集水部材であって、
筒状に延在し、延在方向に貫通する貫通穴が形成された筒部と、
前記筒部の一端から、該筒部と反対の方向に向かうにしたがって外側に広がるように形成された傾斜部と
を備えた集水部材。
【請求項２】
請求項１に記載の集水部材であって、
前記傾斜部には、該傾斜部の表裏を貫通する傾斜部貫通穴が形成された
集水部材。
【請求項３】
請求項１または請求項２に記載の集水部材であって、
前記貫通穴の前記傾斜部と反対側の端部と、前記傾斜部の、前記筒部と反対側の端部によって形成される開口と、の間を塞ぐための蓋を備えた
集水部材。
【請求項４】
請求項３に記載の集水部材であって、
前記蓋は、前記筒部の前記貫通穴に挿入されるように構成された
集水部材。
【請求項５】
請求項４に記載の集水部材であって、
前記蓋および前記筒部の内面は、互いに螺合するネジ部を備えた
集水部材。
【請求項６】
ベタ基礎構造体であって、
スラブ床と、
前記スラブ床に少なくとも部分的に埋め込まれた前記排水管と、
請求項１ないし請求項５のいずれか一項に記載の集水部材であって、前記筒部が前記排水管と接続された集水部材と
を備え、
前記集水部材は、前記傾斜部の上端が、前記スラブ床と同一レベルとなるか、前記スラブ床よりも低いレベルになるように配置される
ベタ基礎構造体。
【請求項７】
請求項６に記載のベタ基礎構造体であって、
前記排水管は、蛇腹部分を備える
ベタ基礎構造。
【発明の詳細な説明】
【技術分野】
【０００１】
本発明は、ベタ基礎の排水技術に関する。
【背景技術】
【０００２】
住宅等の建築物の床下施工方法として、ベタ基礎工法が知られている。ベタ基礎を施工する場合、雨仕舞が完了するまでは、外壁立上げ部に囲まれた領域には降雨等によって水が溜まってしまう。このため、通常、溜まった水を掻き出したり、拭き取ったりする作業が必要となる。このような作業を避けるために、地中に通じる排水管（水抜管）が床スラブに設けられるか、外壁立上げ部を水平方向に貫通するように排水管が設けられることがある。
【先行技術文献】
【特許文献】
【０００３】
【特許文献１】特開２０１２−２０７４９９号公報
【発明の概要】
【発明が解決しようとする課題】
【０００４】
しかしながら、床スラブに排水管を設ける場合には、水平方向の集水機能が十分ではなく、局所的に水が溜まる事象が生じ得る。また、外壁立上げ部に排水管を設ける場合には、床スラブ上に排水管を配置する位置関係で排水管を設けたとしても、排水管の内面は、排水管の厚み分だけスラブ床よりも高い位置になる。このため、水溜まりを完全に排除することができなかった。このようなことから、雨仕舞が完了するまでの建築工事中において、ベタ基礎の排水性を向上することが求められる。また、排水管を設置すると、そこから白蟻が侵入することが懸念されるので、排水機能と同時に、白蟻侵入防止機能が達成されることが望ましい。
【課題を解決するための手段】
【０００５】
本発明は、上述の課題の少なくとも一部を解決するためになされたものであり、例えば、以下の形態として実現することが可能である。
【０００６】
本発明の第１の形態によれば、ベタ基礎用の排水管の上部に設けるための集水部材が提供される。この集水部材は、筒状に延在し、延在方向に貫通する貫通穴が形成された筒部と、筒部の一端から、筒部と反対の方向に向かうにしたがって外側に広がるように形成された傾斜部と、を備える。
【０００７】
かかる集水部材は、ベタ基礎構造体のスラブ床に埋め込まれた排水管の上部に接続し、傾斜部の上端が、スラブ床と同一レベルとなるか、スラブ床よりも低いレベルになるように配置して使用することができる。かかる集水部材によれば、スラブ床上の水を傾斜部によって広範囲に集水して、排水管から排水することができるので、雨仕舞が完了するまでの建築工事中において、ベタ基礎構造体の排水性を向上することができる。
【０００８】
本発明の第２の形態によれば、第１の形態において、傾斜部には、傾斜部の表裏を貫通する傾斜部貫通穴が形成される。かかる形態によれば、排水管の上部に集水部材を配置した後にベタ基礎コンクリートを打設する際に、傾斜部貫通穴から空気を抜くことができる。したがって、集水部材とスラブとの間に空気層が形成されることを抑制できる。その結果、集水部材を安定的に配置することができる。
【０００９】
本発明の第３の形態によれば、第１または第２の形態において、貫通穴の傾斜部と反対側の端部と、傾斜部の、筒部と反対側の端部によって形成される開口と、の間を塞ぐための蓋を備える。かかる形態によれば、雨仕舞が完了した後に蓋を取り付けることによって、排水管から集水部材の貫通穴を介して白蟻が侵入することを抑制できる。
【００１０】
本発明の第４の形態によれば、第３の形態において、蓋は、筒部の貫通穴に挿入されるように構成される。かかる形態によれば、蓋のサイズを小さくできる。したがって、蓋の取り扱い性が向上するとともに、省資源化に資する。
【００１１】
本発明の第５の形態によれば、第４の形態において、蓋および筒部の内面は、互いに螺合するネジ部を備える。かかる形態によれば、蓋を筒部に容易に固定できるとともに、白蟻の侵入を好適に抑制できる。
【００１２】
本発明の第６の形態によれば、ベタ基礎構造体が提供される。このベタ基礎構造体は、スラブ床と、スラブ床に埋め込まれた排水管と、第１ないし第５のいずれかの形態の集水部材であって、筒部が排水管と接続された集水部材と、を備える。集水部材は、傾斜部の上端が、スラブ床と同一レベルとなるか、スラブ床よりも低いレベルになるように配置される。かかるベタ基礎構造体によれば、第１ないし第５の形態と同様の効果を奏する。
【００１３】
本発明の第７の形態によれば、第６の形態において、排水管は蛇腹管部分を備える。かかる形態によれば、施工時、すなわち、ベタ基礎コンクリートを打設する際に、排水管に作用する作業衝撃を吸収し、排水管の損傷を抑制することができる。また、排水管の表面積が増大することにより周囲のコンクリートとの付着面積が増大し、蛇腹管部分の凹凸形状が白蟻の侵入を抑制する壁として機能する。さらに、コンクリート面の均し作業を行う際に、排水管およびコンクリートに軽微な振動を加えることによって容易にエア抜きを行うことができるので、集水部材および排水管とスラブとの間に空気層が形成されることを抑制できる。
【図面の簡単な説明】
【００１４】
【図１】本発明の一実施例としてのベタ基礎構造体を示す斜視図である。
【図２】ベタ基礎構造体を示す断面図である。
【図３】集水部材の断面図である。
【図４】集水部材の底面の構成を示す斜視図である。
【図５】第２実施例としての集水部材を示す図である。
【図６】第２実施例としての蛇腹排水管を示す斜視図である。
【図７】図６の蛇腹排水管の一部分を示す図である。
【発明を実施するための形態】
【００１５】
Ａ．第１実施例：
図１は、本発明の第１実施例としてのベタ基礎構造体１０を示す斜視図である。図２は、ベタ基礎構造体１０の断面図である。図１，２に示すように、ベタ基礎構造体１０は、スラブ床２０と、排水管３０と、接続アダプタ４０と、集水部材５０と、を備えている。本実施例では、排水管３０は、９０度の屈曲部を有するエルボ管である。この排水管３０の一端は、スラブ床２０の内部に埋め込まれており、他端は、スラブ床２０よりも下方（すなわち、土中）に延出している。ただし、排水管３０の形状は、任意の形状とすることができ、また、排水管３０の全体がスラブ床２０に埋め込まれていてもよい。例えば、排水管３０は、その全体がスラブ床２０に埋め込まれるとともに、排水管３０の下側の端部がスラブ床２０の底面のところで開口する直線状の管であってもよい。本実施例では、排水管３０、接続アダプタ４０および集水部材５０は、水が溜まりやすい外壁立上げ部２５の近傍に設けられる。ただし、これらは、スラブ床２０の任意の箇所に設けることができる。また、これらは、複数の場所に設けられてもよい。
【００１６】
排水管３０の上部には、接続アダプタ４０を介して集水部材５０が接続さている。集水部材５０は、筒部６０と、傾斜部７０と、蓋８０と、を備えている。筒部６０は、鉛直方向に筒状に延在しており、その内部には、延在方向に貫通する貫通穴６２が形成されている。筒部６０の一端（設置状態における上方端）には、当該一端から延在方向と直交する方向にフランジ状に延在する平坦部６１が形成されている。本実施例では、平坦部６１は、上方から見て矩形形状である。筒部６０の他端側（設置状態における下方側）には、その内周面にネジ部６３が形成されている。かかる筒部６０は、排水管３０と同程度の径を有しており、接続アダプタ４０を介して排水管３０と接続される（接続形態の詳細は後述する）。
【００１７】
傾斜部７０は、筒部６０と一体的に形成されており、平坦部６１（すなわち、筒部６０の一端）から、筒部６０と反対の方向に向かうにしたがって外側（径方向外側）に広がるように形成されている。かかる形状により、傾斜部７０は、その設置状態において、傾斜部７０の上端７３から内側に向けて、すなわち、貫通穴６２に向けて、高さが低くなるように傾斜している。また、上端７３の外郭は、排水管３０の径よりも大きくなっている。例えば、排水管３０の径はφ４８であり、上端７３の大きさは２００ｍｍ角である。本実施例では、傾斜部７０は、４つの台形の傾斜面７１を備えている。ただし、傾斜部７０の形状は、任意とすることができ、例えば、傾斜部７０は、上方から見た場合に円形となる漏斗状に形成されていてもよい。４つの傾斜面７１の各々には、傾斜面７１の表裏を貫通する傾斜部貫通穴７２が形成されている。かかる傾斜部７０は、本実施例では、図２に示すように、上端７３がスラブ床２０の床面２１と同一レベルとなるように配置される。ただし、傾斜部７０は、上端７３が床面２１よりも低いレベルとなるように配置されてもよい。
【００１８】
図１に示すように、蓋８０は、略有底筒状の形状を有しており、その上部には、取っ手８１が形成されている。また、蓋８０の外周面には、ネジ部８２が形成されている。蓋８０は、筒部６０および傾斜部７０から着脱可能に構成されている。
【００１９】
図３は、集水部材５０の断面図であり、図４は、集水部材５０の底面の構成を示す斜視図である。図３に示すように、接続アダプタ４０は、内筒部４１と外筒部４２と受入部４３とを備えている。内筒部４１および外筒部４２は、いずれも円形断面を有している。外筒部４２は、内筒部４１を取り囲むように、内筒部４１から径方向に間隔を隔てて配置されている。内筒部４１および外筒部４２は、それらの上端で一体化されている。外筒部４２は、内筒部４１よりも長く、このため、外筒部４２は、内筒部４１よりも下方まで延在している。内筒部４１および外筒部４２は、可撓性を有しており、それらの間に排水管３０を挟み込むように、排水管３０の上端に配置される。
【００２０】
内筒部４１と外筒部４２とが一体化された部位の上方には、受入部４３が形成されている。受入部４３は、上方に向けて延在する筒状形状を有している。受入部４３の内部は、内筒部４１の内部と連通しており、受入部４３の内面は、円弧形状を有している。かかる受入部４３は、その内部に筒部６０を受け入れるように構成されている。具体的には、受入部４３は、可撓性を有しており、筒部６０の下端側を受入部４３に挿入すると、受入部４３が径方向外側に向けて撓む。筒部６０の下端部６４は、下端側に向けて径が小さくなるように円弧状に形成されており、受入部４３の円弧形状の内面に追従した状態で当接する。このとき、筒部６０は、受入部４３の復元力によって保持される。下端部６４をこのような形状に形成することによって、筒部６０を鋳型成形する場合に、アンダーカット処理が不要になる。
【００２１】
このようにして、筒部６０が接続アダプタ４０を介して排水管３０と接続された状態において、蓋８０を、筒部６０の貫通穴６２に挿入することができる。このとき、筒部６０のネジ部６３と、蓋８０のネジ部８２と、が螺合することによって、蓋８０を筒部６０に固定することができる。かかる構成によれば、排水管３０から貫通穴６２を介して白蟻が建物内に侵入することを抑制できる。つまり、ネジ部６３とネジ部８２とのネジ係合によって、筒部６０と蓋８０との間の隙間から白蟻が侵入することを抑制できる。白蟻の侵入防止効果をいっそう高めるために、ネジ部８２の下端部の外周面に防蟻ゴム（シールゴム）を配置してもよい。
【００２２】
図４に示すように、筒部６０の底部には、メッシュ６５が設けられている。本実施例では、メッシュ６５は、筒部６０の下端部６４から僅かに内側に延在する水平面に取り付けられている。メッシュ６５によって、排水管３０に大きなゴミが侵入して排水管３０の詰まりが生じることを抑制できる。また、図３に示すように、本実施例では、蓋８０を筒部６０に完全に装着した際に、蓋８０の下端部が筒部６０の底面（メッシュ６５を取り付けるための水平面）に当接するように、筒部６０および蓋８０の大きさが決定されている。このため、筒部６０と蓋８０との間を完全に遮断でき、白蟻の侵入防止効果をいっそう高めることができる。
【００２３】
上述したベタ基礎構造体１０は、例えば、排水管３０、接続アダプタ４０、筒部６０および傾斜部７０を所定位置に据え付けた後、スラブ床２０を形成するためのコンクリートを打設し、養生することによって構築することができる。特に、本実施例では、傾斜面７１に傾斜部貫通穴７２が形成されているので、コンクリートを打設する際に、傾斜部貫通穴７２から空気を抜くことができる。したがって、筒部６０および傾斜部７０と、スラブ床２０と、の間に空気層が形成されることを抑制できる。その結果、筒部６０および傾斜部７０を安定的に配置することができる。
【００２４】
以上説明したベタ基礎構造体１０によれば、雨仕舞が完了するまでの建築工事中において、降雨などによってスラブ床２０上に水が溜まる状況が生じても、スラブ床２０の床面２１以下のレベルに配置された傾斜部７０によって、スラブ床２０上の水を広範囲に集水して貫通穴６２に導き、排水管３０から排水することができる。したがって、ベタ基礎構造体１０の排水性を向上できる。しかも、雨仕舞が完了した後は、上述したように、筒部６０に蓋８０を取り付けて筒部６０の貫通穴６２を塞ぐことによって、排水管３０から貫通穴６２を介して白蟻が建物内に侵入することを抑制できる。つまり、ベタ基礎構造体１０によれば、雨仕舞が完了するまでの排水性の向上と、雨仕舞が完了した後の白蟻侵入抑制と、を好適に両立させることができる。
【００２５】
蓋８０は、状況に応じて、適宜、取り外すこともできる。例えば、建物の竣工後に、洪水などによって床下浸水が生じた場合に、蓋８０を取り外すことで、スラブ床２０上に溜まった水の排水を促進することができる。
【００２６】
Ｂ．第２実施例：
図５（ａ）は、第２実施例としての集水部材１５０の斜視図である。集水部材１５０は、第１実施例の集水部材５０の代替構成であり、筒部１６０と傾斜部１７０と蓋１８０とを備えている。傾斜部１７０は傾斜面１７１を備えており、その上端１７３は円形に形成されている。第１実施例と同様に、傾斜面１７１には、４つの傾斜部貫通穴１７２が形成されている。筒部１６０の一端には、筒部１６０の内面に略Ｌ字状のフック部１６５が複数形成されている。一方、蓋１８０の外周部には、フック部１６５と同じ数のタブ１８３が、径方向外側に向けて突出するように形成されている。本実施例では、蓋１８０は、このタブ１８３をフック部１６５に係合させることによって、傾斜部１７０に固定される。図５（ｂ）は、筒部１６０および傾斜部１７０の断面図である。図示するように、筒部１６０の外周面には、ネジ部１６４が形成されている。
【００２７】
図６は、第２実施例としての蛇腹排水管１３０を示す斜視図である。蛇腹排水管１３０は、第１実施例の排水管３０の代替構成であり、上側管部分１３１と蛇腹管部分１３２と下側管部分１３３とを備えている。上側管部分１３１および下側管部分１３３は、略円筒状の管であり、その外面に凹凸は形成されていない。凹凸形状を有する蛇腹管部分１３２は、上側管部分１３１と蛇腹管部分１３２との間に配置され、これらと接合されている。図示は省略するが、蛇腹排水管１３０のうちの少なくとも上側管部分１３１および蛇腹管部分１３２は、スラブ床２０に埋め込まれて設置される。
【００２８】
図７は、上側管部分１３１および下側管部分１３３を示す図である。図７（ａ）に示すように、上側管部分１３１は、その内面にネジ部１３４が形成されている。このネジ部１３４は、筒部１６０のネジ部１６４と螺合する。つまり、本実施例では、筒部１６０と蛇腹排水管１３０とは、接続アダプタを介さずに、直接的にネジ接続される。上側管部分１３１の下方側には、周方向に沿って径方向外側に突出したフランジ部１３６が形成されている。フランジ部１３６よりも下方の接続部１３５は、蛇腹管部分１３２の上端側に嵌め込まれる。図７（ｂ）に示すように、上側管部分１３１の下端には、メッシュ１３７が設けられている。図７（ｃ）に示すように、下側管部分１３３の上方側には、フランジ部１３８が形成されている。フランジ部１３８よりも上方の接続部１３９は、蛇腹管部分１３２の下端側に嵌め込まれる。
【００２９】
かかる蛇腹排水管１３０によれば、集水部材１５０の施工時、すなわち、ベタ基礎コンクリートを打設する際に、蛇腹排水管１３０に作用する作業衝撃を蛇腹管部分１３２によって吸収し、蛇腹排水管１３０の損傷を抑制することができる。また、蛇腹管部分１３２によって蛇腹排水管１３０の表面積が増大し、周囲のコンクリートとの付着面積が増大し、蛇腹管部分１３２の凹凸形状が白蟻の侵入を抑制する壁として機能する。さらに、コンクリート面の均し作業を行う際に、蛇腹排水管１３０およびスラブ床２０に軽微な振動を加えることによって容易にエア抜きを行うことができるので、集水部材１５０および蛇腹排水管１３０と、スラブ床２０と、の間に空気層が形成されることを抑制できる。
【００３０】
Ｃ．変形例：
第１実施例において、蓋８０は、貫通穴６２に挿入する形態に限らず、貫通穴６２の傾斜部７０と反対側の端部と、傾斜部７０の上端７３によって形成される開口と、の間を塞ぐ任意の形態とすることができる。例えば、蓋８０は、傾斜面７１の内側に嵌め込まれるか、載置される板状の形状を有していてもよい。第２実施例についても同様である。
【００３１】
以上、いくつかの実施例に基づいて本発明の実施の形態について説明してきたが、上記した発明の実施の形態は、本発明の理解を容易にするためのものであり、本発明を限定するものではない。本発明は、その趣旨を逸脱することなく、変更、改良され得るとともに、本発明にはその等価物が含まれることはもちろんである。また、上述した課題の少なくとも一部を解決できる範囲、または、効果の少なくとも一部を奏する範囲において、特許請求の範囲および明細書に記載された各形態要素の任意の組み合わせ、または、省略が可能である。
【符号の説明】
【００３２】
１０…ベタ基礎構造体
２０…スラブ床
２１…床面
２５…外壁立上げ部
３０…排水管
４０…接続アダプタ
４１…内筒部
４２…外筒部
４３…受入部
５０，１５０…集水部材
６０，１６０…筒部
６１…平坦部
６２…貫通穴
６３…ネジ部
６５…メッシュ
７０，１７０…傾斜部
７１，１７１…傾斜面
７２，１７２…傾斜部貫通穴
７３，１７３…上端
８０，１８０…蓋
８１…取っ手
８２…ネジ部
１３０…蛇腹排水管
１３１…上側管部分
１３２…蛇腹管部分
１３３…下側管部分
１３４…ネジ部
１３５，１３９…接続部
１３６，１３８…フランジ部
１３７…メッシュ
１６４…ネジ部
１６５…フック部
１８３…タブ
【図１】
2016079721.tif 000003
【図２】
2016079721.tif 000004
【図３】
2016079721.tif 000005
【図４】
2016079721.tif 000006
【図５】
2016079721.tif 000007
【図６】
2016079721.tif 000008
【図７】
2016079721.tif 000009